(57)【特許請求の範囲】
【請求項１】
物体側から像側へ順に、ズーミングのためには不動の正の屈折力の第１レンズ群、ズーミングに際して移動する負の屈折力の第２レンズ群、ズーミングに際して移動する負の屈折力の第３レンズ群、ズーミングに際して移動する正の屈折力の第４レンズ群、ズーミングのためには不動の正の屈折力の第５レンズ群から構成されるズームレンズにおいて、
広角端における前記第２レンズ群と前記第３レンズ群の空気間隔及び前記第３レンズ群と前記第４レンズ群の空気間隔を各々Ｌ２ｗ、Ｌ３ｗ、前記第１レンズ群の焦点距離をｆ１、広角端における前記第２レンズ群と第３レンズ群の合成焦点距離をｆ２３ｗ、広角端における全系の焦点距離をｆｗ、ズーム比をＺ、広角端からのズーム比がＺ0.02からＺ0.35までの広角側ズーム域における
前記第２レンズ群と前記第３レンズ群の空気間隔の最小値をＬ２ｚ１ａとするとき、
１．５０＜Ｌ２ｗ／Ｌ２ｚ１ａ＜１６００．００
０．０５＜Ｌ２ｗ／Ｌ３ｗ＜０．５５
−１４．５０＜ｆ１／ｆ２３ｗ＜−１０．００
なる条件式を満足することを特徴とするズームレンズ。
【請求項２】
望遠端における前記第２レンズ群と前記第３レンズ群の空気間隔をＬ２ｔとするとき、
０．８５＜Ｌ２ｗ／Ｌ２ｔ＜１１．５０
なる条件を満足することを特徴とする請求項１に記載のズームレンズ。
【請求項３】
全系の焦点距離ｆｚ２が
ｆｗ・Ｚ0.55＜ｆｚ２＜ｆｗ・Ｚ0.85
を満足する望遠側ズーム域において、前記第２レンズ群と前記第３レンズ群の空気間隔の最小値をＬ２ｚ２ａとするとき、
１．５０＜Ｌ２ｗ／Ｌ２ｚ２ａ＜１０００．００
なる条件を満足する請求項１又は２に記載のズームレンズ。
【請求項４】
前記第２レンズ群の焦点距離をｆ２とするとき、
−３．００＜Ｌ２ｗ／ｆ２＜−０．５０
なる条件を満足することを特徴とする請求項１乃至３のいずれか１項に記載のズームレンズ。
【請求項５】
前記第２レンズ群および前記第３レンズ群の焦点距離を各々ｆ２、ｆ３とするとき、
０．１５＜ｆ２／ｆ３＜０．５０
なる条件を満足することを特徴とする請求項１乃至４のいずれか１項に記載のズームレンズ。
【請求項６】
前記第４レンズ群の焦点距離をｆ４とするとき、
３．５０＜ｆ１／ｆ４＜４．５０
なる条件を満足することを特徴とする請求項１乃至５のいずれか１項に記載のズームレンズ。
【請求項７】
前記第４レンズ群の広角端と望遠端における横倍率を各々β４ｗ、β４ｔとするとき、
２．００＜β４ｔ／β４ｗ＜７．００
なる条件を満足することを特徴とする請求項１乃至６のいずれか１項に記載のズームレンズ。
【請求項８】
請求項１乃至７のいずれか１項に記載のズームレンズと前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、監視カメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、最も物体側に正の屈折力のレンズ群を配置した５つのレンズ群より成るポジティブリード型の５群ズームレンズが知られている。このポジティブリード型のズームレンズで、バリエータとコンペンセータの機能を持つ変倍レンズ群を３つの可動レンズ群で構成し、互いに異なった軌跡で移動した５群ズームレンズが知られている（特許文献１、２）。
【０００３】
特許文献１、２では、正の屈折力の第１レンズ群、負の屈折力の第２レンズ群、負の屈折力の第３レンズ群、正の屈折力の第４レンズ群、そして結像用の正の屈折力の第５レンズ群から構成されている。そしてズーミングに際して第２、第３、第４レンズ群が移動するズームレンズが提案されている。特許文献１にはズーム比が２．５倍程度、広角端における撮影画角３０度程度の５群ズームレンズが開示されている。特許文献２にはズーム比５倍程度、広角端における撮影画角６６度程度の５群ズームレンズが開示されている。
【先行技術文献】
【特許文献】
【０００４】
【特許文献１】特開平８−２３４１０５号公報
【特許文献２】特開平１−１２６６１４号公報
【発明の概要】
【発明が解決しようとする課題】
【０００５】
５群ズームレンズにおいて、広画角化及び高ズーム比化を維持しつつ、高い光学性能を得るには変倍レンズ群としての第２、第３、第４レンズ群のズーミングの際の移動条件や第１レンズ群の屈折力等を適切に設定することが重要になってくる。この他第２、第３レンズ群の合成の屈折力、そして第３レンズ群の広角端から中間のズーム位置に至る移動軌跡等を適切に設定することが重要になってくる。これらの構成を適切に設定しないと、広画角かつ高ズーム比で全ズーム範囲にわたり高い光学性能のズームレンズを得るのが難しくなってくる。
【０００６】
特許文献１、２の５群ズームレンズでは、高ズーム比化に伴い、移動レンズ群の移動量が増加し、レンズ全長が増大し、またズーミングに伴う諸収差の変動が増大する傾向があった。
【０００７】
本発明は広画角、高ズーム比でしかも全ズーム範囲にわたり高い光学性能を有するズームレンズ及びそれを有する撮像装置の提供を目的とする。
【課題を解決するための手段】
【０００８】
本発明のズームレンズは、物体側から像側へ順に、ズーミングのためには不動の正の屈折力の第１レンズ群、ズーミングに際して移動する負の屈折力の第２レンズ群、ズーミングに際して移動する負の屈折力の第３レンズ群、ズーミングに際して移動する正の屈折力の第４レンズ群、ズーミングのためには不動の正の屈折力の第５レンズ群から構成されるズームレンズにおいて、
広角端における前記第２レンズ群と前記第３レンズ群の空気間隔及び前記第３レンズ群と前記第４レンズ群の空気間隔を各々Ｌ２ｗ、Ｌ３ｗ、前記第１レンズ群の焦点距離をｆ１、広角端における前記第２レンズ群と第３レンズ群の合成焦点距離をｆ２３ｗ、広角端における全系の焦点距離をｆｗ、ズーム比をＺ、広角端からのズーム比がＺ0.02からＺ0.35までの広角側ズーム域における
前記第２レンズ群と前記第３レンズ群の空気間隔の最小値をＬ２ｚ１ａとするとき、
１．５０＜Ｌ２ｗ／Ｌ２ｚ１ａ＜１６００．００
０．０５＜Ｌ２ｗ／Ｌ３ｗ＜０．５５
−１４．５０＜ｆ１／ｆ２３ｗ＜−１０．００
なる条件式を満足することを特徴としている。
【発明の効果】
【０００９】
本発明によれば、広画角、高ズーム比でしかも全ズーム範囲にわたり高い光学性能を有するズームレンズが得られる。
【図面の簡単な説明】
【００１０】
【図１】実施例１のズームレンズの広角端におけるレンズ断面図である。
【図２】（Ａ）、（Ｂ）、（Ｃ）  実施例１の広角端、焦点距離１００ｍｍ、望遠端における収差図である。
【図３】実施例２のズームレンズの広角端におけるレンズ断面図である。
【図４】（Ａ）、（Ｂ）、（Ｃ）  実施例２の広角端、焦点距離８５ｍｍ、望遠端における収差図である。
【図５】実施例３のズームレンズの広角端におけるレンズ断面図である。
【図６】（Ａ）、（Ｂ）、（Ｃ）  実施例３の広角端、焦点距離７５ｍｍ、望遠端における収差図である。
【図７】実施例４のズームレンズの広角端におけるレンズ断面図である。
【図８】（Ａ）、（Ｂ）、（Ｃ）  実施例４の広角端、焦点距離９０ｍｍ、望遠端における収差図である。
【図９】実施例５のズームレンズの広角端におけるレンズ断面図である。
【図１０】（Ａ）、（Ｂ）、（Ｃ）  実施例５の広角端、焦点距離１００ｍｍ、望遠端における収差図である。
【図１１】実施例６のズームレンズの広角端におけるレンズ断面図である。
【図１２】（Ａ）、（Ｂ）、（Ｃ）  実施例６の広角端、焦点距離８０ｍｍ、望遠端における収差図である。
【図１３】（Ａ）、（Ｂ）  本発明のズームレンズの模式図と、４群ズームレンズの模式図である。
【図１４】本発明の撮像装置の要部概略図である。
【発明を実施するための形態】
【００１１】
以下に本発明の実施の形態を添付の図面に基づいて詳細に説明する。本発明のズームレンズは、物体側から像側へ順に、ズーミングのためには不動の正の屈折力の第１レンズ群、変倍用の負の屈折力の第２レンズ群、変倍用の負の屈折力の第３レンズ群、変倍に伴う像面変動を補正する正の屈折力の第４レンズ群を有する。更にズーミングのためには不動の正の屈折力の第５レンズ群から構成されている。図１は、本発明の実施例１としての数値実施例１の広角端（短焦点距離）で、無限遠物体に合焦しているときのレンズ断面図である。図２(Ａ)、(Ｂ)、(Ｃ)は、数値実施例１の広角端、ｆ＝１００ｍｍ、望遠端（長焦点距離端）における無限遠物体に合焦しているときの縦収差図である。
【００１２】
図３は、本発明の実施例２としての数値実施例２の広角端で、無限遠物体に合焦しているときのレンズ断面図である。図４(Ａ)、(Ｂ)、(Ｃ)は、数値実施例２の広角端、ｆ＝８５ｍｍ、望遠端における無限遠物体に合焦しているときの縦収差図である。図５は、本発明の実施例３としての数値実施例３の広角端で、無限遠物体に合焦しているときのレンズ断面図である。図６(Ａ)、(Ｂ)、(Ｃ)は、数値実施例３の広角端、ｆ＝７５ｍｍ、望遠端における無限遠物体に合焦しているときの縦収差図である。
【００１３】
図７は、本発明の実施例４としての数値実施例４の広角端で、無限遠物体に合焦しているときのレンズ断面図である。図８(Ａ)、(Ｂ)、(Ｃ)は、数値実施例４の広角端、ｆ＝９０ｍｍ、望遠端における無限遠物体に合焦しているときの縦収差図である。図９は、本発明の実施例５としての数値実施例５の広角端、無限遠物体に合焦しているときのレンズ断面図である。図１０(Ａ)、(Ｂ)、(Ｃ)は、数値実施例５の広角端、ｆ＝１００ｍｍ、望遠端における無限遠状態における縦収差図である。
【００１４】
図１１は、本発明の実施例６としての数値実施例６の広角端で、無限遠物体に合焦しているときのレンズ断面図である。図１２(Ａ)、(Ｂ)、(Ｃ)は、数値実施例６の広角端、ｆ＝８０ｍｍ、望遠端における無限遠物体に合焦しているときの縦収差図である。
【００１５】
図１３(Ａ)、(Ｂ)は本発明のズームレンズの模式図と、４群ズームレンズの近軸屈折力配置の模式図である。各レンズ断面図において、左方が被写体（物体）側（前方）で、右方が像側（後方）である。Ｕ１はズーミングのためには不動の正の屈折力の第１レンズ群である。Ｕ２は変倍用の負の屈折力の第２レンズ群（バリエータ）であり、光軸上を像面側へ直線的に移動させることにより、広角端から望遠端への変倍を行っている。Ｕ３は変倍用の負の屈折力の第３レンズ群（バリエータ）であり、広角端から望遠端にかけて、光軸上を非直線的に移動する。
【００１６】
Ｕ４は正の屈折力の第４レンズ群（コンペンセータ）であり、変倍に伴う像面変動を補正するために光軸上を非直線的に移動する。ＳＰは開口絞り、Ｕ５はズーミングのためには不動の結像作用を有する正の屈折力の第５レンズ群（リレー群）である。第５レンズ群Ｕ５内には、焦点距離変換用のコンバータ（エクステンダ）等が装着されても良い。ＤＧは色分解プリズムや光学フィルタ−等であり、同図ではガラスブロックとして示している。ＩＰは像面であり、固体撮像素子の撮像面に相当している。
【００１７】
各収差図において、球面収差における実線と破線は各々ｅ線，g線である。非点収差における実線と一点鎖線は各々サジタル像面，メリディオナル像面であり、倍率色収差はｇ線によって表している。ωは近軸での半画角、ＦｎｏはＦナンバーである。尚、以下の各実施例において広角端と望遠端は変倍用レンズ群が機構上、光軸上を移動可能な範囲の両端に位置したときのズーム位置をいう。
【００１８】
各実施例のズームレンズは、広角端における各レンズ群の屈折力配置及び第２レンズ群、第３レンズ群のズーミングに際しての移動軌跡を規定することにより、全系の小型軽量化と、収差補正を効果的に行っている。
【００１９】
具体的には、広角端における第２レンズ群Ｕ２と第３レンズ群Ｕ３の空気間隔及び第３レンズ群Ｕ３と第４レンズ群Ｕ４の空気間隔を各々Ｌ２ｗ、Ｌ３ｗとする。第１レンズ群Ｕ１の焦点距離をｆ１、広角端における第２レンズ群Ｕ２と第３レンズ群Ｕ３の合成焦点距離をｆ２３ｗとする。広角端における全系の焦点距離をｆｗ、ズーム比をＺとする。広角側ズーム域ｚ１での全系の焦点距離ｆｚ１を
ｆｗ・Ｚ0.02＜ｆｚ１＜ｆｗ・Ｚ0.35    ・・・（ａ１）
とする。別の言い方をすれば、この広角側ズーム域ｚ１は、広角端からの変倍比がＺ0.02からＺ0.35までの間のズーム領域（ズーム範囲、変倍範囲）ということができる。また、上記のｆｚ１をｆｗ・ＺＺ１と言い換えれば、上記の条件式（ａ１）は、
０．０２＜ｚ１＜０．３５  ・・・（ａ１−１）
と言い換えることができる。
【００２０】
このようにして定義される広角側ズーム域ｚ１における第２レンズ群Ｕ２と第３レンズ群Ｕ３の空気間隔の最小値をＬ２ｚ１ａとする。このとき、
１．５０＜Ｌ２ｗ／Ｌ２ｚ１ａ＜１６００．００    ・・・（１）
０．０５＜Ｌ２ｗ／Ｌ３ｗ＜０．５５              ・・・（２）
−１４．５０＜ｆ１／ｆ２３ｗ＜−１０．００      ・・・（３）
なる条件式を満足している。各実施例において、ズーミングに際しての各レンズ群の移動軌跡を図１３（Ａ）、（Ｂ）を用いて説明する。
【００２１】
図１３（Ａ）に示す本発明の５群ズームレンズの各レンズ群と図１３（Ｂ）に示す４群ズームレンズの各レンズ群との対比を明確にするために、図１３（Ａ）では各レンズ断面図と同様に第１レンズ群乃至第５レンズ群をＵ１乃至Ｕ５と表示している。図１３（Ｂ）では第１レンズ群乃至第４レンズ群をＵ１Ｂ乃至Ｕ４Ｂと表示している。各実施例のズームレンズでは、図１３(Ａ)に示すように物体側から像側へ順に第１〜第５レンズ群より構成されている。
【００２２】
具体的には正の屈折力の第１レンズ群Ｕ１、変倍用の負の屈折力の第２レンズ群Ｕ２、負の屈折力の第３レンズ群Ｕ３、変倍に伴う像面変動を補正する正の屈折力の第４レンズ群Ｕ４、結像のための正の屈折力の第５レンズ群Ｕ５より構成されている。４群ズームレンズでは、図１３(Ｂ)に示すように、広角側（ＷＩＤＥ）で倍率を大きくするためにズーミングに際して第２レンズ群Ｕ２Ｂを像側に大きく移動させていた。これによりズーミングに際して第１レンズ群Ｕ１Ｂと第２レンズ群Ｕ２Ｂの間隔が増大するため、第１レンズ群Ｕ１Ｂの軸外光線の入射高さが増大する。
【００２３】
上記理由により、第１レンズ群Ｕ１Ｂの軸外光線の入射高さは、広角端から少し望遠側に入ったズームポジションｆＭにおいて最も高くなり、第１レンズ群Ｕ１Ｂの有効径が決定される。また、４群ズームレンズにおいては、ズーミングに際して第３レンズ群Ｕ３Ｂの移動軌跡は変倍に伴う像点補正のために一意的に決定される。具体的には、第２レンズ群Ｕ２Ｂが図１３(Ｂ)に示すように直線的に移動する場合、第３レンズ群Ｕ３Ｂは広角端から望遠端へ変倍するに従って物体側へ非直線的に移動するように軌跡が決定される。
【００２４】
一方、各実施例における５群ズームレンズでは、図１３(Ａ)に示すように変倍レンズ群が３つの可動レンズ群で構成されている場合、第４レンズ群Ｕ４で像点補正を行う構成にすれば、第３レンズ群Ｕ３の移動軌跡は任意に設定することができる。
【００２５】
各実施例のズームレンズにおいては、図１３(Ａ)に図示の広角側の条件式（ａ１）で規定するズーム域ｚ１において第３レンズ群Ｕ３が広角端より物体側に移動する軌跡で構成されている。第３レンズ群Ｕ３がより物体側に移動することにより焦点距離を望遠側にシフトする効果が得られる。それにより、広角側のズーム域ｚ１で、ズーミングにおける第２レンズ群Ｕ２の移動量を低減している。各実施例では広角側のズーム域ｚ１のうちのズーム位置ｚ１ａにおいて第２レンズ群Ｕ２と第３レンズ群Ｕ３との空気間隔が最小値の空気間隔Ｌ２ｚ１ａをとる構成としている。条件式（１）は広角端における第２レンズ群Ｕ２と第３レンズ群Ｕ３の空気間隔Ｌ２ｗに対する空気間隔Ｌ２ｚ１ａとの比に関する。
【００２６】
条件式(１)の上限を上回ると、広角側のズーム域ｚ１において第１レンズ群Ｕ１へ入射する軸外光線の光線高さを下げる効果が小さく、第１レンズ群Ｕ１の小型軽量化の効果が少なくなる。条件式(１)の下限値を下回ると、広角側のズーム域で第２レンズ群Ｕ２と第３レンズＵ３との空気間隔が小さくなりすぎるため、高速でレンズ群を駆動する場合にレンズ群同士が干渉する可能性があり、製造上、良くない。ここで、広角側のズーム域ｚ１とは、条件式（ａ１）で示すように、ズーム比をＺとするとき、広角端よりズーム比がＺ０．０２からＺ０．３５の範囲であるズーム域を指す。
【００２７】
以上のように、ズーミングに際して広角側における第３レンズ群Ｕ３の移動軌跡を適切に規定することで、ズームポジションｆＭにおける第１レンズ群Ｕ１へ入射する軸外光線の光線高さが減少し、第１レンズ群Ｕ１の有効径を小さくすることが容易となる。また、第１レンズ群Ｕ１の有効径の縮小に伴い、必然的にレンズ厚も薄くなる為、レンズ質量に支配的な第１レンズ群Ｕ１の小型軽量化が容易となる。
【００２８】
条件式（２）は広角端における第２レンズ群Ｕ２と第３レンズ群Ｕ３の空気間隔Ｌ２ｗに対する広角端における第３レンズ群Ｕ３と第４レンズ群Ｕ４の空気間隔Ｌ３ｗの比に関する。条件式(２)を満足することで、広角端の焦点距離を広角側へシフトする効果が容易に得られるため、更なる広画角化と高ズーム比化が容易になる。
【００２９】
条件式(２)の上限を超えると、広角側において第２レンズ群Ｕ２と第３レンズ群Ｕ３の合成焦点距離が小さくなりすぎるため、第１レンズ群Ｕ１での軸外光線の入射位置高さが高くなってしまい、レンズ径が増大してくる。条件式(２)の下限値を下回ると、広角側のズーム域ｚ１における第２レンズ群Ｕ２の移動量が増大し、第１レンズ群Ｕ１へ入射する軸外光線の光線高さを下げる効果が小さくなるため、第１レンズ群Ｕ１の小型軽量化が困難となる。
【００３０】
条件式（３）は、第１レンズ群Ｕ１の焦点距離ｆ１に対する広角端における第２レンズ群Ｕ２と第３レンズ群Ｕ３の合成焦点距離ｆ２３ｗの比に関する。条件式(３)を満足することで、主に高ズーム比化と第１レンズ群Ｕ１の小型軽量化を図っている。条件式(３)の上限を上回ると、広角端での第２レンズ群Ｕ２と第３レンズ群Ｕ３の合成焦点距離が第１レンズ群Ｕ１の焦点距離に比べ相対的に短くなりすぎる。この結果、第１レンズ群Ｕ１での軸外光線の入射位置の高さが高くなるため、レンズ径が増大してくる。条件式(３)の下限値を下回ると、広角端での第２レンズ群Ｕ２と第３レンズ群Ｕ３の合成焦点距離が第１レンズ群Ｕ１の焦点距離に比べ相対的に長くなりすぎ、ズーム比を大きくするのが難しい近軸配置となるため、高ズーム比化と全系の小型化が困難となる。更に好ましくは条件式（１）乃至（３）の数値範囲を次の如く設定するのが良い。
【００３１】
２．０＜Ｌ２ｗ／Ｌ２ｚ１ａ＜１２００．００      ・・・（１ａ）
０．０７＜Ｌ２ｗ／Ｌ３ｗ＜０．５４              ・・・（２ａ）
−１４．２０＜ｆ１／ｆ２３ｗ＜−１０．２０      ・・・（３ａ）
以上のように各レンズ群の屈折力配置や変倍用の移動レンズ群の移動軌跡等を適切に規定することで、ズーム比７０倍以上の高ズーム比化と、広角端での撮影画角６０°以上の広角化を図ったズームレンズを得ている。各実施例において更に好ましくは次の諸条件のうち１以上を満足するのが良い。第２レンズ群Ｕ２と第３レンズ群Ｕ３の望遠端における空気間隔をＬ２ｔとする。
【００３２】
全系の焦点距離ｆｚ２が
ｆｗ・Ｚ0.55＜ｆｚ２＜ｆｗ・Ｚ0.85    ・・・（ａ２）
を満足するズーム領域（ズーム範囲、変倍範囲）を望遠側ズーム域ｚ２とする。この望遠側ズーム域ｚ２は、広角端からの変倍比がＺ0.55からＺ0.85までの間のズーム領域（ズーム範囲、変倍範囲）ということができる。また、上記のｆｚ２をｆｗ・ＺＺ２と言い換えれば、上記の条件式（ａ２）は、
０．５５＜ｚ２＜０．８５  ・・・（ａ２−１）
と言い換えることができる。このようにして定義される望遠側ズーム域における第２レンズ群と第３レンズ群の空気間隔の最小値をＬ２ｚ２ａとする。
【００３３】
更に、第２レンズ群Ｕ２、第３レンズ群Ｕ３、第４レンズ群Ｕ４の焦点距離をｆ２、ｆ３、ｆ４とし、第４レンズ群Ｕ４の広角端と望遠端における横倍率を各々β４ｗ、β４ｔとする。
【００３４】
このとき、
０．８５＜Ｌ２ｗ／Ｌ２ｔ＜１１．５０            ・・・（４）
１．５０＜Ｌ２ｗ／Ｌ２ｚ２ａ＜１０００．００    ・・・（５）
−３．００＜Ｌ２ｗ／ｆ２＜−０．５０            ・・・（６）
０．１５＜ｆ２／ｆ３＜０．５０                  ・・・（７）
３．５０＜ｆ１／ｆ４＜４．５０                  ・・・（８）
２．００＜β４ｔ／β４ｗ＜７．００              ・・・（９）
なる条件のうち１以上を満足するのが良い。
【００３５】
条件式（４）は、広角端における第２レンズ群Ｕ２と第３レンズ群Ｕ３の空気間隔Ｌ２ｗと、望遠端における第２レンズ群Ｕ２と第３レンズ群Ｕ３の空気間隔Ｌ２ｔとの比に関する。各実施例のズームレンズにおいて、図１３(Ａ)に示すように、広角端で第２レンズ群Ｕ２と第３レンズ群Ｕ３の空気間隔Ｌ２ｗを広げている。これにより広角端で第２レンズ群Ｕ２と第３レンズ群Ｕ３の合成焦点距離が短くなり、広角端の焦点距離をより広角側へシフトすることが容易となる。更に、望遠端でも第２レンズ群Ｕ２と第３レンズ群Ｕ３の空気間隔を適切に規定することで、望遠端の焦点距離が広角側へシフトすることを抑制することが容易となる。つまり、第２レンズ群Ｕ２と第３レンズ群Ｕ３の広角端と望遠端での空気間隔を適切に規定することで変倍に必要な移動距離を短くすることが可能となる。
【００３６】
各実施例のズームレンズでは、この空気間隔の比が条件式(４)を満足するように設定して、レンズ全長を効果的に短縮している。条件式(４)の上限を上回ると、広角側での第２レンズ群Ｕ２と第３レンズ群Ｕ３の合成焦点距離が長くなりすぎるため、第１レンズ群Ｕ１へ入射する軸外光線の光線高さが高くなり、レンズ径が増大してくる。条件式(４)の下限値を下回ると、望遠端での焦点距離が広角側へシフトするため、所望のズーム比を得るために必要な移動レンズ群の移動量が大きくなってしまい、レンズ全長が増大してくる。
【００３７】
条件式（５）は、広角端における第２レンズ群Ｕ２と第３レンズ群Ｕ３の空気間隔Ｌ２ｗと、望遠側の条件式（ａ２）で規定する望遠側ズーム域ｚ２における、第２レンズ群Ｕ２と第３レンズ群Ｕ３との空気間隔の最小値Ｌ２ｚ２ａとの比に関する。条件式(５)を満足することで、移動レンズ群の中でもレンズ質量が大きい第４レンズ群Ｕ４の軽量化を容易にしている。
【００３８】
条件式(５)の上限を上回ると、望遠側の望遠側ズーム域ｚ２で第２レンズ群Ｕ２と第３レンズ群Ｕ３との空気間隔が小さくなりすぎるため、高速でレンズ群を駆動する場合にレンズ同士が干渉する場合があり、製造上良くない。条件式(５)の下限値を下回ると、望遠側のズーム域ｚ２において、第４レンズ群Ｕ４の移動量が増大し、望遠側のズーム域ｚ２において第４レンズ群Ｕ４が開口絞りＳＰから離れてしまうため、第４レンズ群Ｕ４のレンズ径が大きくなってしまう。
【００３９】
条件式（６）は第２レンズ群Ｕ２の焦点距離ｆ２と広角端での第２レンズ群Ｕ２と第３レンズ群Ｕ３の空気間隔Ｌ２ｗとの比に関する。条件式(６)を満足することで、第１レンズ群Ｕ１の小型軽量化とズーミングによる収差変動を抑制している。条件式(６)の上限を上回ると、広角端での第２レンズ群Ｕ２と第３レンズ群Ｕ３の間隔が相対的に狭くなり、第１レンズ群Ｕ１の小型軽量化とレンズ全長の短縮化が難しくなる。条件式(６)の下限値を下回ると、第２レンズ群Ｕ２の焦点距離が相対的に短くなり、ズーミングによる収差変動の抑制が困難となる。
【００４０】
条件式（７）は、第２レンズ群Ｕ２の焦点距離ｆ２と第３レンズ群Ｕ３の焦点距離ｆ３の比に関する。条件式(７)を満足することで、第１レンズ群Ｕ１の小型軽量化と収差変動の抑制を図っている。条件式(７)の上限を上回ると、第３レンズ群Ｕ３の焦点距離が相対的に短くなりすぎ（負の焦点距離の絶対値が小さくなりすぎ）、主な変倍レンズ群である第２レンズ群Ｕ２の移動量が増大してしまうため、高ズーム比化とレンズ全長の短縮化が困難となる。条件式(７)の下限値を下回ると、第３レンズ群Ｕ３の焦点距離が相対的に長くなり（負の焦点距離の絶対値が大きくなりすぎ）、第１レンズ群Ｕ１への軸外光線の入射高さを下げるために必要な移動量が大きくなる。このため、移動による球面収差やコマ収差の変動を抑制することが困難となる。
【００４１】
条件式（８）は、第１レンズ群Ｕ１の焦点距離ｆ１と第４レンズ群Ｕ４の焦点距離ｆ４との比に関する。条件式(８)を満足することで、第１レンズ群Ｕ１の小型軽量化とズーミングに際しての収差変動の抑制を図っている。条件式(８)の上限を上回ると、第４レンズ群Ｕ４の焦点距離が第１レンズ群Ｕ１の焦点距離に対し相対的に短くなりすぎ、ズーミングに際して球面収差の変動が増大してくる。条件式(８)の下限値を下回ると、第１レンズ群Ｕ１の焦点距離が第４レンズ群Ｕ４の焦点距離に対し相対的に短くなりすぎ、第１レンズ群Ｕ１へ入射する軸外光線の光線高さを抑制するのが難しくなり、レンズ径が増大してくる。
【００４２】
条件式（９）は、第４レンズ群Ｕ４の広角端における横倍率β４ｗと、第４レンズ群Ｕ４の望遠端における横倍率β４ｔとの比に関する。条件式(９)を満足することで、ズーム比が７０倍を超えるような高ズーム比のズームレンズと、望遠端での軸上色収差の抑制を図っている。条件式(９)の上限を上回ると、第４レンズ群Ｕ４の移動量が増大し、レンズ全長が大型化し、更に収差変動を抑制することが困難となる。条件式(９)の下限値を下回ると、第４レンズ群Ｕ４で変倍比を大きくすることが難しくなり、高ズーム比化が困難となる。
【００４３】
第３レンズ群Ｕ３に少なくとも１面の非球面を有するのが良い。変倍に際して自由に移動することができる第３レンズ群Ｕ３に非球面を配置することで、変倍によるコマ収差等の軸外収差の変動を効果的に補正することが容易になる。更に好ましくは条件式（４）乃至条件式（９）の数値範囲を次の如く設定するのが良い。
【００４４】
０．９０＜Ｌ２ｗ／Ｌ２ｔ＜１１．００            ・・・（４ａ）
２．００＜Ｌ２ｗ／Ｌ２ｚ２ａ＜  ９００．００    ・・・（５ａ）
−２．８０＜Ｌ２ｗ／ｆ２＜−０．５５            ・・・（６ａ）
０．１６＜ｆ２／ｆ３＜０．４６                  ・・・（７ａ）
３．７０＜ｆ１／ｆ４＜４．３０                  ・・・（８ａ）
２．５０＜β４ｔ／β４ｗ＜６．５０              ・・・（９ａ）
以下に本発明のズームレンズの数値実施例１〜６のレンズ構成の特徴を説明する。
【００４５】
［実施例１］
数値実施例１に対応する実施例１におけるズーミングに際しての移動レンズ群である第２レンズ群Ｕ２、第３レンズ群Ｕ３、第４レンズ群Ｕ４について説明する。第２レンズ群Ｕ２は、数値実施例１において第１１レンズ面〜第１５レンズ面に対応し、物体側から像側へ順に、負レンズと、負レンズと正レンズがこの順に貼り合わされた接合レンズにて構成されている。第３レンズ群Ｕ３は、数値実施例１において第１６レンズ面〜第１８レンズ面に対応し、負レンズと正レンズが、この順に貼り合わされた接合レンズより構成されている。
【００４６】
第４レンズ群Ｕ４は、数値実施例１において第１９レンズ面〜第２７レンズ面に対応し、物体側から像側へ順に、２枚の正レンズと、負レンズと正レンズがこの順に貼り合わされた接合レンズ、正レンズにて構成されている。非球面は第１１レンズ面、第２０レンズ面、第２６レンズ面に各々用いられており、第１１レンズ面は主に広角側の歪曲収差の補正、第２０レンズ面は広角側のコマ収差等の軸外収差の補正、第２６レンズ面は望遠側の球面収差の補正を行っている。
【００４７】
本実施例の各条件式の対応値を表１に示す。本数値実施例はいずれの条件式も満足しており、良好な光学性能を達成しつつ、広角端の焦点距離８．７ｍｍ、ズーム比１２５倍の広画角、高ズーム比ながら第１レンズ群Ｕ１の最も物体側のレンズ径が２０３．０９ｍｍと小型軽量化を図っている。
【００４８】
［実施例２］
数値実施例２に対応する実施例２は、実施例１と同様のレンズ構成で、表１に示すようにいずれの条件式も満足しており、良好な光学性能を達成している。更に、広角端の焦点距離８．５ｍｍ、ズーム比１００倍の広画角、高ズーム比ながら第１レンズ群Ｕ１の最も物体側のレンズ径が２１２．５９ｍｍと小型軽量化を図っている。
【００４９】
［実施例３］
数値実施例３に対応する実施例３は、実施例１と同様のレンズ構成で、表１に示すようにいずれの条件式も満足しており、良好な光学性能を達成している。更に、広角端の焦点距離８．４ｍｍ、ズーム比８０倍の広画角、高ズーム比ながら第１レンズ群Ｕ１の最も物体側のレンズ径が２１０．２８ｍｍと小型軽量化を図っている。
【００５０】
［実施例４］
数値実施例４に対応する実施例４におけるズーミングに際しての移動レンズ群である第２レンズ群Ｕ２、第３レンズ群Ｕ３、第４レンズ群Ｕ４について説明する。第２レンズ群Ｕ２は、数値実施例４において第１１レンズ面〜第１５レンズ面に対応し、物体側から像側へ順に、負レンズと、負レンズと正レンズがこの順に貼り合わされた接合レンズにて構成されている。第３レンズ群Ｕ３は、数値実施例４において第１６レンズ面と第１７レンズ面に対応し、１つの負レンズより構成されている。第４レンズ群Ｕ４は、数値実施例４において第１８レンズ面〜第２６レンズ面に対応し、物体側から像側へ順に、２枚の正レンズと、負レンズと正レンズがこの順に貼り合わされた接合レンズ、正レンズにて構成されている。非球面は第１１レンズ面、第１９レンズ面、第２５レンズ面に各々用いられており、第１１レンズ面は主に広角側の歪曲収差の補正、第２０レンズ面は広角側のコマ収差等の軸外収差の補正、第２６レンズ面は望遠側の球面収差の補正を行っている。
【００５１】
本実施例は、第２レンズ群Ｕ２が１つの負レンズからの構成ながら、表１に示すようにいずれの条件式も満足しており、良好な光学性能を達成している。更に、広角端の焦点距離９．５ｍｍ、ズーム比９０倍の広画角、高ズーム比ながら第１レンズ群Ｕ１の最も物体側のレンズ径が１９０．２２ｍｍと小型軽量化を図っている。
【００５２】
［実施例５］
数値実施例５に対応する実施例５におけるズーミングに際しての移動レンズ群である第２レンズ群Ｕ２、第３レンズ群Ｕ３、第４レンズ群Ｕ４について説明する。第２レンズ群Ｕ２は、数値実施例５において第１１レンズ面〜第１５レンズ面に対応し、物体側から像側へ順に、負レンズと、負レンズと正レンズがこの順に貼り合わされた接合レンズにて構成されている。第３レンズ群Ｕ３は、数値実施例５において第１６レンズ面〜第１８レンズ面に対応し、負レンズと正レンズが、この順に貼り合わされた接合レンズより構成されている。
【００５３】
第４レンズ群Ｕ４は、数値実施例５において第１９レンズ面〜第２７レンズ面に対応し、物体側から像側へ順に、２枚の正レンズと、負レンズと正レンズがこの順に貼り合わされた接合レンズ、正レンズにて構成されている。非球面は第１１レンズ面、第１８レンズ面、第２０レンズ面、第２６レンズ面に各々用いられている。第１１レンズ面は主に広角側の歪曲収差の補正、第１８レンズ面は広角側のコマ収差等の軸外収差の補正、第２０レンズ面は広角側のコマ収差等の軸外収差の補正、第２６レンズ面は望遠側の球面収差の補正を行っている。
【００５４】
本実施例は、第３レンズ群Ｕ３の最終レンズ面が非球面形状を有する構成であり、ズーム全域での収差変動を更に良好に補正している。表１に示すようにいずれの条件式も満足しており、良好な光学性能を達成している。更に、広角端の焦点距離９．０ｍｍ、ズーム比１２０倍の広画角、高ズーム比ながら第１レンズ群Ｕ１の最も物体側のレンズ径が２００．１１ｍｍと小型軽量化を図っている。
【００５５】
［実施例６］
数値実施例６に対応する実施例６は、実施例４と同様の構成で、第２レンズ群Ｕ２が１つの負レンズからの構成ながら、表１に示すようにいずれの条件式も満足しており、良好な光学性能を達成している。更に、広角端の焦点距離９．５ｍｍ、ズーム比７０倍の広画角、高ズーム比ながら第１レンズ群Ｕ１の最も物体側のレンズ径が１８８．７０ｍｍと小型軽量化を図っている。
【００５６】
図１４は、本発明の実施例１〜６のズームレンズを撮影光学系として用いた撮像装置（テレビカメラシステム）の要部概略図である。図１４において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、結像用の第５レンズ群Ｒを有している。第１レンズ群Ｆは合焦用レンズ群が含まれている。
【００５７】
変倍部ＬＺは変倍のために光軸上を移動する第２レンズ群と第３レンズ群と、変倍に伴う像面変動を補正するために光軸上を移動する第４レンズ群が含まれている。ＳＰは開口絞りである。第５レンズ群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。
【００５８】
１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００５９】
このように本発明のズームレンズをテレビカメラに適用することにより、高い光学性能を有する撮像装置を実現している。以上、本発明の好ましい実施形態について説明したが、本発明はこれらの実施形態に限定されず、その要旨の範囲内で種々の変形及び変更が可能である。
【００６０】
次に本発明の実施例１〜６に対応する数値実施例１〜６を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。最後の３つの面はフィルタ等の硝子ブロックである。焦点距離、Ｆナンバー、画角は、それぞれ無限遠物体に焦点を合わせたときの半画角（度）の値を表している。ＢＦはガラスブロックの最終面から像面までの距離である。レンズ全長は第１レンズ面から像面までの距離である。
【００６１】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
【００６２】
ｘ＝（ｙ２／ｒ）／｛１＋（１−ｋ・ｙ２／ｒ２）０．５｝＋A２・ｙ２＋A３・ｙ３＋A４・ｙ４＋A５・ｙ５＋A６・ｙ６＋A７・ｙ７＋A８・ｙ８＋A９・ｙ９＋A１０・ｙ１０＋A１１・ｙ１１＋A１２・ｙ１２
各実施例と前述した各条件式との対応を表１に示す。
【００６３】
(数値実施例１)
単位 mm
面データ
面番号       r        d      nd         νd       有効径
1       7000.000    6.00   1.83400    37.2      203.09
2        357.549    1.96                        192.96
3        356.531   24.92   1.43387    95.1      193.26
4       -605.435   26.02                        193.79
5        372.742   19.72   1.43387    95.1      196.72
6      -1461.432    0.25                        196.33
7        232.326   19.14   1.43387    95.1      190.68
8       1031.534    1.20                        189.38
9        206.041   12.86   1.49700    81.5      179.92
10        387.144  (可変)                        178.17
11*      5024.881    2.20   2.00330    28.3       52.56
12         48.879    9.90                         46.05
13        -88.090    1.40   1.88300    40.8       45.32
14         61.315    7.10   1.95906    17.5       44.85
15       -290.607  (可変)                         44.68
16       -111.199    1.40   1.83400    37.2       36.72
17         62.286    4.26   1.92286    18.9       38.45
18        252.468  (可変)                         38.92
19        210.433   12.69   1.60311    60.6       80.97
20*      -144.212    0.50                         81.82
21        105.583   14.39   1.49700    81.5       83.44
22       -276.431    0.20                         82.89
23        105.463    2.50   1.84666    23.8       77.74
24         55.594   18.69   1.43875    94.9       72.46
25       -733.979    0.41                         70.93
26*       446.666    5.73   1.49700    81.5       69.40
27       -441.678  (可変)                         68.15
28(絞り)    ∞       2.02                         35.84
29       -334.752    1.40   1.88300    40.8       34.64
30         78.766    3.63   1.84666    23.8       33.44
31      -1049.387    3.76                         32.89
32        -98.560    1.85   1.81600    46.6       31.14
33         75.729    0.15                         30.25
34         37.018    3.73   1.80809    22.8       30.21
35         85.092    3.70                         29.49
36       -123.596    1.58   1.88300    40.8       28.79
37         82.080    9.99                         28.36
38          ∞      16.91   1.59201    67.0       29.15
39          ∞       6.21                         30.11
40       -101.163    5.88   1.54814    45.8       30.57
41        -44.989    3.12                         31.28
42       -213.142    3.07   1.88300    40.8       30.47
43         35.976    9.93   1.51742    52.4       30.40
44        -41.094    0.20                         31.16
45         84.114    7.32   1.43875    94.9       30.75
46        -29.006    2.50   1.88300    40.8       30.47
47       -129.349    1.18                         31.41
48        168.024    6.45   1.54814    45.8       31.66
49        -38.960   14.45                         31.63
50          ∞      33.00   1.60859    46.4       60.00
51          ∞      13.20   1.51633    64.2       60.00
52          ∞      10.00                         60.00
像面        ∞   
【００６４】
非球面データ
第11面
K = 0.00000e+000  A 4= 3.99513e-007  A 6= 5.77528e-011  A 8=-7.16919e-013  A10= 1.49059e-015  A12=-1.07142e-018  
第20面
K =-1.70392e+001  A 4=-3.56784e-007  A 6= 2.16965e-010  A 8=-8.22372e-014  A10= 2.58987e-017  A12=-3.98128e-021  
第26面
K = 1.15185e+002  A 4= 3.26764e-008  A 6=-1.57529e-010  A 8=-5.57145e-014  A10= 9.28720e-017  A12=-5.21195e-020  
各種データ
ズーム比    125.00 
広角     中間     望遠
焦点距離       8.70   100.00   1087.50  
Fナンバー      1.85     1.85     5.65  
画角          32.30     3.15     0.29  
像高           5.50     5.50     5.50  
レンズ全長   650.33   650.33   650.33  
BF            10.00    10.00    10.00  
d10            2.79   155.37   197.63  
d15           38.26     8.55    20.90  
d18          247.59   100.25     1.99  
d27            3.00    27.46    71.12  
入射瞳位置   131.60   1055.10   12251.49  
射出瞳位置   203.13   203.13   203.13  
前側主点位置 140.69   1206.87   19462.61  
後側主点位置   1.30   -90.00  -1077.50  
ズームレンズ群データ
群  始面    焦点距離  レンズ構成長  前側主点位置  後側主点位置
1    1     257.84       112.06        64.22        -18.92
2   11     -37.78        20.59         2.47        -12.78
3   16    -102.19         5.66         1.00         -1.94
4   19      63.84        55.11        12.61        -26.21
5   28      46.22       155.25        62.41         25.05
単レンズデータ
レンズ  始面  焦点距離
1       1   -449.11
2       3    519.97
3       5    685.04
4       7    684.43
5       9    863.24
6      11    -48.80
7      13    -40.53
8      14     52.62
9      16    -47.39
10      17     87.55
11      19    143.26
12      21    155.22
13      23   -140.76
14      24    118.35
15      26    446.49
16      29    -71.68
17      30     85.81
18      32    -51.97
19      34     77.55
20      36    -55.34
21      38      0.00
22      40    141.77
23      42    -34.46
24      43     38.61
25      45     50.02
26      46    -42.60
27      48     58.04
28      50      0.00
29      51      0.00
【００６５】
(数値実施例２)
単位 mm
面データ
面番号       r        d      nd         νd       有効径
1       7000.000    6.00   1.83400    37.2      212.59
2        355.689    2.11                        202.25
3        358.331   26.47   1.43387    95.1      202.05
4       -618.379   25.89                        201.13
5        356.821   20.91   1.43387    95.1      198.08
6      -1329.433    0.25                        197.67
7        236.536   19.07   1.43387    95.1      191.67
8       1070.694    1.20                        190.36
9        205.936   12.71   1.49700    81.5      180.55
10        378.914  (可変)                        178.79
11*     -2273.125    2.20   2.00330    28.3       52.25
12         49.262    9.71                         45.69
13        -88.036    1.40   1.88300    40.8       44.93
14         51.969    7.67   1.95906    17.5       44.36
15       -459.266  (可変)                         44.15
16       -115.354    1.40   1.83400    37.2       37.02
17        105.644    4.25   1.92286    18.9       38.49
18        952.225  (可変)                         39.24
19        305.884   11.18   1.60311    60.6       74.14
20*      -140.794    0.50                         75.30
21        104.878   12.66   1.59201    67.0       77.38
22       -391.835    0.20                         76.74
23        118.906    2.50   1.84666    23.8       73.35
24         57.325   17.97   1.43875    94.9       68.98
25       -443.118    0.65                         67.55
26*       459.962    5.39   1.60311    60.6       66.00
27       -620.084  (可変)                         64.84
28(絞り)    ∞       1.30                         34.21
29       -981.746    1.40   1.88300    40.8       33.44
30         52.609    4.18   1.80518    25.4       32.13
31       4947.801    4.50                         31.61
32        -64.379    1.85   1.81600    46.6       30.07
33         75.378    1.22                         29.69
34         36.566    4.06   1.80809    22.8       30.27
35        203.197    4.15                         29.88
36       -150.964    1.58   1.88300    40.8       28.64
37         67.008   10.00                         28.16
38       -125.315    1.91   1.71736    29.5       29.22
39         76.114   15.00   1.65160    58.5       29.98
40        -72.158    3.57                         32.37
41       -403.126    6.45   1.54814    45.8       32.56
42        -55.387    3.12                         32.79
43       -240.425    3.07   1.88300    40.8       31.44
44         41.762    7.82   1.51742    52.4       30.93
45        -80.743    0.20                         31.26
46        104.922    7.21   1.49700    81.5       31.09
47        -28.804    2.50   1.83481    42.7       30.88
48        -99.435    1.18                         31.59
49        188.946    5.33   1.54814    45.8       31.46
50        -47.537   14.45                         31.29
51          ∞      33.00   1.60859    46.4       60.00
52          ∞      13.20   1.51633    64.2       60.00
53          ∞      10.00                         60.00
像面        ∞   
【００６６】
非球面データ
第11面
K = 0.00000e+000  A 4= 3.34324e-007  A 6= 1.67264e-010  A 8=-1.08493e-012  A10= 2.02231e-015  A12=-1.34075e-018  
第20面
K =-1.65695e+001  A 4=-4.04553e-007  A 6= 1.97577e-010  A 8=-6.53791e-014  A10= 2.42904e-017  A12=-5.25875e-021  
第26面
K = 1.17483e+002  A 4= 3.98604e-008  A 6=-2.31833e-010  A 8= 9.49033e-014  A10=-1.43520e-017  A12=-2.00365e-020  
各種データ
ズーム比    100.00 
広角     中間     望遠
焦点距離       8.50    85.00   850.00  
Fナンバー      1.85     1.85     4.40  
画角          32.91     3.70     0.37  
像高           5.50     5.50     5.50  
レンズ全長   642.18   642.18   642.18  
BF           10.00    10.00    10.00  
d10            2.94   148.23   197.14  
d15           31.49    19.01    30.00  
d18          250.22    89.43     2.20  
d27            3.00    30.97    58.30  
入射瞳位置   132.00   922.93   9508.22  
射出瞳位置   272.25   272.25   272.25  
前側主点位置 140.78   1035.48   13113.12  
後側主点位置   1.50   -75.00  -840.00  
ズームレンズ群データ
群  始面    焦点距離  レンズ構成長  前側主点位置  後側主点位置
1    1     256.86       114.60        66.15        -18.50
2   11     -35.33        20.98         2.84        -12.37
3   16    -135.64         5.65         0.30         -2.65
4   19      64.53        51.04        11.64        -23.50
5   28      49.90       152.26        62.15         19.01
単レンズデータ
レンズ  始面  焦点距離
1       1   -446.65
2       3    525.90
3       5    649.20
4       7    693.21
5       9    883.43
6      11    -47.64
7      13    -36.62
8      14     48.39
9      16    -65.51
10      17    126.88
11      19    160.75
12      21    140.59
13      23   -131.92
14      24    116.68
15      26    436.96
16      29    -56.19
17      30     65.41
18      32    -42.08
19      34     54.02
20      36    -52.08
21      38    -65.23
22      39     58.98
23      41    115.77
24      43    -39.86
25      44     54.14
26      46     46.17
27      47    -49.10
28      49     69.49
29      51      0.00
30      52      0.00
【００６７】
(数値実施例３)
単位 mm
面データ
面番号       r        d      nd         νd       有効径
1       7000.000    6.00   1.83400    37.2      210.28
2        356.263    2.27                        199.45
3        362.915   25.88   1.43387    95.1      198.78
4       -584.849   24.53                        197.88
5        343.102   20.81   1.43387    95.1      196.49
6      -1482.603    0.25                        196.06
7        239.275   18.22   1.43387    95.1      190.15
8        996.003    1.20                        188.85
9        200.376   13.52   1.49700    81.5      179.14
10        392.384  (可変)                        177.39
11*      -795.547    2.20   2.00330    28.3       53.73
12         45.768   10.22                         46.49
13        -96.693    1.40   1.83481    42.7       45.94
14         46.285    7.95   1.92286    18.9       45.59
15       -426.845  (可変)                         45.47
16       -114.770    1.40   1.83400    37.2       40.05
17        142.140    4.27   1.92286    18.9       41.62
18      -2999.244  (可変)                         42.43
19        551.909    9.86   1.60311    60.6       69.14
20*      -135.666    0.50                         70.56
21         98.070   11.82   1.59201    67.0       73.34
22       -348.797    0.20                         72.90
23        121.306    2.50   1.84666    23.8       70.13
24         57.540   16.24   1.43875    94.9       66.34
25       -815.265    1.41                         65.13
26*       425.218    6.25   1.60311    60.6       63.84
27       -337.921  (可変)                         62.80
28(絞り)    ∞       1.69                         32.73
29       -248.272    1.40   1.88300    40.8       32.00
30        142.418    2.90   1.92286    18.9       31.29
31       -358.613    3.57                         30.86
32        -85.303    1.85   1.81600    46.6       29.29
33         55.704    0.15                         28.55
34         30.377    3.47   1.80809    22.8       28.86
35         49.659    7.07                         28.15
36        -77.766    1.58   1.88300    40.8       27.30
37      -2959.427   35.20                         27.44
38       -762.104    3.07   1.83400    37.2       30.60
39         44.541    9.28   1.51742    52.4       31.01
40        -39.572    0.20                         31.78
41         55.502    8.31   1.43875    94.9       31.33
42        -29.886    2.50   1.88300    40.8       30.93
43       -162.236    1.18                         31.62
44        116.223    7.77   1.54814    45.8       31.76
45        -45.331   14.45                         31.50
46          ∞      33.00   1.60859    46.4       60.00
47          ∞      13.20   1.51633    64.2       60.00
48          ∞      10.16                         60.00
像面        ∞   
【００６８】
非球面データ
第11面
K = 0.00000e+000  A 4= 5.12010e-007  A 6= 2.85064e-010  A 8=-1.65263e-012  A10= 2.88943e-015  A12=-1.75465e-018  
第20面
K =-1.68786e+001  A 4=-4.69074e-007  A 6= 2.48017e-010  A 8=-1.33276e-013  A10= 8.10905e-017  A12=-2.19325e-020  
第26面
K = 9.27743e+001  A 4= 6.95897e-008  A 6=-3.08870e-010  A 8= 1.12117e-013  A10= 1.45809e-017  A12=-3.25773e-020  
各種データ
ズーム比     80.00 
広角     中間     望遠
焦点距離       8.40    75.00   672.00  
Fナンバー      1.85     1.85     3.50  
画角          33.22     4.19     0.47  
像高           5.50     5.50     5.50  
レンズ全長   628.68   628.68   628.68  
BF            10.16    10.16    10.16  
d10            3.01   138.59   190.67  
d15           37.24    30.01    39.99  
d18          234.51    78.09     2.21  
d27            3.00    31.07    44.88  
入射瞳位置   130.82   825.33   7538.93  
射出瞳位置   133.21   133.21   133.21  
前側主点位置 139.80   946.05   11880.85  
後側主点位置   1.76   -64.84  -661.84  
ズームレンズ群データ
群  始面    焦点距離  レンズ構成長  前側主点位置  後側主点位置
1    1     250.41       112.68        64.11        -18.96
2   11     -35.06        21.77         2.17        -13.90
3   16    -158.14         5.67        -0.23         -3.20
4   19      63.76        48.78        11.81        -22.14
5   28      39.49       151.86        59.18         14.49
単レンズデータ
レンズ  始面  焦点距離
1       1   -447.41
2       3    519.17
3       5    642.79
4       7    718.81
5       9    802.70
6      11    -42.72
7      13    -37.12
8      14     45.06
9      16    -75.47
10      17    145.35
11      19    180.83
12      21    130.12
13      23   -130.37
14      24    122.89
15      26    311.93
16      29   -101.73
17      30    109.41
18      32    -40.85
19      34     88.65
20      36    -89.95
21      38    -50.05
22      39     41.90
23      41     45.52
24      42    -41.62
25      44     60.22
26      46      0.00
27      47      0.00
【００６９】
(数値実施例４)
単位 mm
面データ
面番号       r        d      nd         νd       有効径
1       7000.000    6.00   1.83400    37.2      190.22
2        354.934    1.95                        190.00
3        353.874   25.13   1.43387    95.1      191.00
4       -560.624   26.43                        191.53
5        411.580   18.69   1.43387    95.1      193.93
6      -1196.359    0.25                        193.57
7        212.195   19.09   1.43387    95.1      187.56
8        762.349    1.20                        186.24
9        211.539   11.87   1.49700    81.5      178.03
10        382.669  (可変)                        176.35
11*      2629.115    2.20   2.00330    28.3       48.43
12         44.692    9.36                         42.69
13        -81.300    1.40   1.88300    40.8       42.12
14         51.530    8.00   1.95906    17.5       42.16
15       -188.135  (可変)                         42.09
16        -70.796    1.70   1.43875    94.9       39.48
17        552.855  (可変)                         41.45
18        421.445   10.64   1.60311    60.6       75.21
19*      -141.276    0.50                         76.53
20         88.319   13.88   0.00000    67.0       79.94
21       -404.249    0.20                         79.39
22        128.305    2.50   1.84666    23.8       75.42
23         57.049   17.67   1.43875    94.9       70.42
24       -534.756    0.29                         69.10
25*       404.245    5.22   1.60311    60.6       67.74
26       -622.350  (可変)                         66.67
27(絞り)    ∞       2.64                         32.90
28       -206.579    1.40   1.88300    40.8       31.54
29        115.045    3.06   1.92286    18.9       30.74
30       -312.974    5.42                         30.30
31        -73.200    1.85   1.81600    46.6       27.50
32         51.917    1.50                         26.77
33         31.331    2.53   1.80809    22.8       27.25
34         50.260    6.50                         26.84
35        -66.843    1.58   1.88300    40.8       26.30
36       -172.448   29.46                         26.55
37       -243.768    3.07   1.83400    37.2       28.33
38         32.328    8.02   1.51742    52.4       28.92
39        -35.001    0.20                         29.38
40        163.644    6.79   1.43875    94.9       29.52
41        -24.919    2.50   1.88300    40.8       29.48
42        -64.062    1.18                         31.16
43        135.605    6.56   1.54814    45.8       31.97
44        -37.173   14.45                         32.19
45          ∞      33.00   1.60859    46.4       60.00
46          ∞      13.20   1.51633    64.2       60.00
47          ∞       9.98                         60.00
像面        ∞   
【００７０】
非球面データ
第11面
K = 0.00000e+000  A 4= 5.30417e-007  A 6= 1.03445e-010  A 8=-1.11094e-012  A10= 2.61286e-015  A12=-2.16029e-018  
第19面
K =-1.58427e+001  A 4=-3.87735e-007  A 6= 1.92726e-010  A 8=-8.25735e-014  A10= 3.83843e-017  A12=-8.36552e-021  
第25面
K = 8.10569e+001  A 4=-7.97052e-008  A 6=-1.95779e-010  A 8=-3.95742e-014  A10= 9.37276e-017  A12=-4.83418e-020  
各種データ
ズーム比     90.00 
広角     中間     望遠
焦点距離       9.30    90.00   837.00  
Fナンバー      1.85     1.85     4.40  
画角          30.60     3.50     0.38  
像高           5.50     5.50     5.50  
レンズ全長   626.70   626.70   626.70  
BF             9.98     9.98     9.98  
d10            2.65   150.20   196.77  
d15           23.00    12.56    15.01  
d17          257.10    93.46     2.20  
d26            4.87    31.42    73.65  
入射瞳位置   129.36   925.52   8916.22  
射出瞳位置   126.20   126.20   126.20  
前側主点位置 139.40   1085.22   15780.93  
後側主点位置   0.68   -80.03  -827.01  
ズームレンズ群データ
群  始面    焦点距離  レンズ構成長  前側主点位置  後側主点位置
1    1     260.54       110.61        63.62        -18.68
2   11     -37.94        20.96         1.50        -14.03
3   16    -142.56         1.70         0.13         -1.05
4   18      64.49        50.90        11.35        -23.50
5   27      37.95       144.92        58.14         16.89
単レンズデータ
レンズ  始面  焦点距離
1       1   -445.65
2       3    502.94
3       5    706.53
4       7    668.98
5       9    927.59
6      11    -44.96
7      13    -35.34
8      14     42.32
9      16   -142.56
10      18    176.00
11      20    122.90
12      22   -122.11
13      23    118.28
14      25    405.52
15      28    -83.03
16      29     90.35
17      31    -36.79
18      33     96.11
19      35   -123.77
20      37    -33.84
21      38     33.71
22      40     49.71
23      41    -47.34
24      43     53.68
25      45      0.00
26      46      0.00
【００７１】
(数値実施例５)
単位 mm
面データ
面番号       r        d      nd         νd       有効径
1       7000.000    6.00   1.83400    37.2      200.11
2        356.376    1.92                        193.65
3        354.498   25.09   1.43387    95.1      193.64
4       -604.712   26.01                        194.17
5        365.238   19.93   1.43387    95.1      197.14
6      -1528.069    0.25                        196.73
7        236.158   19.60   1.43387    95.1      191.10
8       1240.318    1.20                        189.81
9        208.601   12.42   1.49700    81.5      179.89
10        381.767  (可変)                        178.14
11*      4604.939    2.20   2.00330    28.3       57.13
12         56.758   10.61                         50.54
13        -90.754    1.40   1.78800    47.4       49.68
14         60.346    6.37   1.95906    17.5       48.60
15       2822.205  (可変)                         48.36
16        -77.611    1.40   1.83400    37.2       38.61
17         76.868    4.27   1.92286    18.9       40.95
18*      3094.419  (可変)                         41.45
19        288.163   12.15   1.60311    60.6       82.43
20*      -129.586    0.50                         83.25
21         88.724   15.26   1.49700    81.5       85.32
22       -483.672    0.20                         84.62
23        111.193    2.50   1.84666    23.8       79.68
24         57.537   19.13   1.43875    94.9       74.18
25       -443.098    0.16                         72.66
26*       446.000    3.99   1.49700    81.5       70.88
27      -1480.372  (可変)                         69.82
28(絞り)    ∞       1.64                         36.65
29       -961.357    1.40   1.88300    40.8       35.59
30         54.169    4.35   1.80518    25.4       34.11
31      -32540.640    4.59                         33.58
32        -68.810    1.85   1.81600    46.6       31.90
33         83.462    0.32                         31.39
34         37.894    4.29   1.80809    22.8       31.70
35        143.041    3.78                         31.14
36       -150.325    1.58   1.88300    40.8       30.21
37         78.201   10.00                         29.74
38        -90.545    1.91   1.71736    29.5       30.52
39         97.481   14.91   1.65160    58.5       31.44
40        -74.406    3.20                         34.10
41       -403.126    6.68   1.54814    45.8       34.44
42        -56.456    3.12                         34.77
43       -257.236    3.07   1.88300    40.8       33.48
44         40.035    9.25   1.51742    52.4       33.00
45        -64.123    0.20                         33.48
46       1267.155    8.18   1.49700    81.5       33.31
47        -30.062    2.50   1.83481    42.7       33.14
48        -88.524    1.18                         34.27
49        120.705    5.78   1.54814    45.8       34.39
50        -51.632   14.45                         34.26
51          ∞      33.00   1.60859    46.4       60.00
52          ∞      13.20   1.51633    64.2       60.00
53          ∞      15.05                         60.00
像面        ∞   
【００７２】
非球面データ
第11面
K = 0.00000e+000  A 4= 4.75251e-007  A 6= 3.10090e-010  A 8=-9.85937e-013  A10= 1.36448e-015  A12=-6.91934e-019  
第18面
K = 0.00000e+000  A 4= 4.04444e-007  A 6= 4.62610e-010  A 8=-1.17218e-012  A10= 1.72458e-015  A12=-1.12858e-018  
第20面
K =-1.34149e+001  A 4=-5.55821e-007  A 6= 2.30199e-010  A 8=-7.33321e-014  A10= 1.72749e-017  A12=-2.05035e-021  
第26面
K = 1.15333e+002  A 4=-2.25415e-007  A 6=-1.06849e-010  A 8=-7.70580e-014  A10= 8.17951e-017  A12=-4.81179e-020  
各種データ
ズーム比    120.00 
広角     中間     望遠
焦点距離       9.00   100.00   1080.00  
Fナンバー      1.85     1.85     5.60  
画角          31.43     3.15     0.29  
像高           5.50     5.50     5.50  
レンズ全長   651.95   651.95   651.95  
BF            15.05    15.05    15.05  
d10            2.78   151.02   192.71  
d15           53.98    12.08     5.00  
d18          230.13    98.26     1.98  
d27            3.00    28.53    90.20  
入射瞳位置   137.18   1014.67   11559.15  
射出瞳位置   326.98   326.98   326.98  
前側主点位置 146.44   1146.73   16378.42  
後側主点位置   6.05   -84.95  -1064.95  
ズームレンズ群データ
群  始面    焦点距離  レンズ構成長  前側主点位置  後側主点位置
1    1     257.79       112.41        64.51        -18.88
2   11     -40.33        20.58         3.67        -11.57
3   16    -101.22         5.67        -0.00         -2.97
4   19      65.57        53.89        11.49        -26.02
5   28      54.09       154.45        66.09         28.96
単レンズデータ
レンズ  始面  焦点距離
1       1   -447.56
2       3    517.91
3       5    679.89
4       7    666.69
5       9    901.13
6      11    -56.82
7      13    -45.58
8      14     63.38
9      16    -45.82
10      17     84.31
11      19    149.27
12      21    151.75
13      23   -142.51
14      24    117.14
15      26    688.08
16      29    -57.70
17      30     66.55
18      32    -45.73
19      34     62.00
20      36    -57.73
21      38    -64.64
22      39     66.79
23      41    118.34
24      43    -38.82
25      44     48.90
26      46     59.04
27      47    -55.30
28      49     66.42
29      51      0.00
30      52      0.00
【００７３】
(数値実施例６)
単位 mm
面データ
面番号       r        d      nd         νd       有効径
1       7000.000    6.00   1.83400    37.2      188.70
2        364.040    1.51                        188.48
3        350.866   25.54   1.43387    95.1      189.44
4       -519.819   25.35                        189.92
5        490.733   17.92   1.43387    95.1      190.96
6       -855.009    0.25                        190.62
7        205.350   16.97   1.43387    95.1      183.83
8        543.579    1.20                        182.45
9        197.656   12.82   1.49700    81.5      175.15
10        373.593  (可変)                        173.43
11*     -1586.096    2.20   2.00330    28.3       52.04
12         47.555   10.91                         45.77
13        -68.039    1.40   1.88300    40.8       45.22
14         57.622    7.73   1.95906    17.5       46.20
15       -163.533  (可変)                         46.27
16        -85.736    1.70   1.43875    94.9       40.00
17      -3294.065  (可変)                         41.60
18        395.258   10.66   1.60311    60.6       71.10
19*      -132.287    0.50                         72.33
20         85.476   12.68   1.59201    67.0       74.51
21       -464.841    0.20                         73.83
22        116.971    2.50   1.84666    23.8       70.15
23         53.812   15.49   1.43875    94.9       65.46
24       6560.382    0.95                         64.00
25*       308.808    4.92   1.60311    60.6       62.88
26      -1604.987  (可変)                         61.77
27(絞り)    ∞       0.85                         34.64
28        235.250    1.40   1.88300    40.8       33.75
29         80.496    3.57   1.92286    18.9       32.78
30        836.152    5.34                         31.99
31        -84.028    1.85   1.81600    46.6       29.06
32         73.063    0.19                         28.08
33         26.566    2.68   1.80809    22.8       27.87
34         31.528    5.90                         26.87
35       -115.361    1.58   1.88300    40.8       26.26
36        153.852   31.99                         26.14
37       -258.335    3.07   1.83400    37.2       28.39
38         29.722    8.36   1.51742    52.4       29.04
39        -38.281    0.20                         29.62
40        157.674    6.69   1.43875    94.9       30.14
41        -27.270    2.50   1.88300    40.8       30.18
42        -67.370    1.18                         31.86
43        112.278    6.90   1.54814    45.8       32.67
44        -37.696   14.45                         32.70
45          ∞      33.00   1.60859    46.4       60.00
46          ∞      13.20   1.51633    64.2       60.00
47          ∞      11.38                         60.00
像面        ∞   
【００７４】
非球面データ
第11面
K = 0.00000e+000  A 4= 4.37115e-007  A 6= 1.06216e-010  A 8=-8.78096e-013  A10= 1.67797e-015  A12=-1.10768e-018  
第19面
K =-1.29980e+001  A 4=-4.39306e-007  A 6= 1.81695e-010  A 8=-8.89472e-014  A10= 4.73968e-017  A12=-1.13684e-020  
第25面
K = 1.73345e+001  A 4=-2.24032e-008  A 6=-1.62677e-010  A 8=-3.43521e-014  A10= 9.97369e-017  A12=-4.51601e-020  
各種データ
ズーム比     70.00 
広角     中間     望遠
焦点距離       9.30    80.00   651.00  
Fナンバー      1.85     1.85     3.45  
画角          30.60     3.93     0.48  
像高           5.50     5.50     5.50  
レンズ全長   608.09   608.09   608.09  
BF            11.38    11.38    11.38  
d10            2.96   139.03   191.62  
d15           91.94    23.15    29.46  
d17          174.48    82.58     2.21  
d26            3.00    27.63    49.10  
入射瞳位置   131.23   799.77   6236.46  
射出瞳位置   130.04   130.04   130.04  
前側主点位置 141.25   933.70   10459.13  
後側主点位置   2.08   -68.61  -639.62  
ズームレンズ群データ
群  始面    焦点距離  レンズ構成長  前側主点位置  後側主点位置
1    1     256.08       107.56        60.40        -19.70
2   11     -35.86        22.24         2.12        -14.71
3   16    -200.16         1.70        -0.03         -1.21
4   18      64.70        47.90         9.40        -23.02
5   27      40.51       144.91        62.65         15.38
単レンズデータ
レンズ  始面  焦点距離
1       1   -457.71
2       3    485.92
3       5    719.72
4       7    747.38
5       9    822.09
6      11    -45.61
7      13    -34.95
8      14     44.61
9      16   -200.16
10      18    164.95
11      20    122.58
12      22   -118.72
13      23    123.26
14      25    428.14
15      28   -138.37
16      29     95.12
17      31    -47.40
18      33    166.37
19      35    -74.03
20      37    -31.60
21      38     33.60
22      40     53.45
23      41    -53.14
24      43     52.07
25      45      0.00
26      46      0.00
【００７５】
【表１】
0005675473.tif 000002
【符号の説明】
【００７６】
Ｕ１：第１レンズ群      Ｕ２：第２レンズ群    Ｕ３：第３レンズ群
Ｕ４：第４レンズ群      Ｕ５：第５レンズ群    ＳＰ：絞り
ＤＧ：ガラスブロック    ＩＰ：撮像面
【図１】
0005675473.tif 000003
【図２】
0005675473.tif 000004
【図４】
0005675473.tif 000005
【図５】
0005675473.tif 000006
【図６】
0005675473.tif 000007
【図７】
0005675473.tif 000008
【図８】
0005675473.tif 000009
【図９】
0005675473.tif 000010
【図１０】
0005675473.tif 000011
【図１１】
0005675473.tif 000012
【図１２】
0005675473.tif 000013
【図３】
0005675473.tif 000014
【図１３】
0005675473.tif 000015
【図１４】
0005675473.tif 000016